(57)【特許請求の範囲】
【請求項１】
呼制御を統括する統括ＩＰ電話端末と、前記統括ＩＰ電話端末の指示に従って呼制御の一部を実行する複数の分散呼制御ＩＰ電話端末を含むＩＰ電話システムであって、
前記統括ＩＰ電話端末および分散呼制御ＩＰ電話端末のそれぞれは、
当該ＩＰ電話システムの内線ＩＰ電話端末として自端末を制御する内線ＩＰ電話端末制御手段と、他のＩＰ電話端末と共有する情報を蓄積する共有情報蓄積手段と、他の分散呼制御ＩＰ電話端末の前記共有情報蓄積手段から所定の情報を読出す共有情報読出し手段を有し、
前記統括ＩＰ電話端末は、
ＷＡＮまたはＬＡＮを介して呼制御メッセージを受信する呼制御メッセージ受信手段と、前記呼制御メッセージ受信手段が受信した呼制御メッセージをいずれかの分散呼制御ＩＰ電話端末の共有情報蓄積手段の所定のエリアに書込む呼制御メッセージ書込み手段と、呼制御メッセージの種別を識別して当該呼制御メッセージの処理を分担する所定の分散呼制御ＩＰ電話端末へ当該呼制御メッセージの処理を要求する呼制御メッセージ処理要求手段と、前記分散呼制御ＩＰ電話端末が生成した呼制御メッセージをＷＡＮまたはＬＡＮを介して送信する呼制御メッセージ送信手段を有し、
前記分散呼制御ＩＰ電話端末のそれぞれは、
分担すべき呼制御メッセージの処理内容が予め定められており、前記統括ＩＰ電話端末から当該呼制御メッセージの処理を要求された場合に、前記統括ＩＰ電話端末が書込んだ呼制御メッセージを当該共有情報蓄積手段から読込んで所定の処理を実行する呼制御メッセージ処理手段と、当該呼制御メッセージに対する応答メッセージを生成する応答メッセージ生成手段を有することを特徴とする分散呼制御型ＩＰ電話システム。
【請求項２】
請求項１に記載の電話システムおいて、
前記共有情報蓄積手段は、呼制御メッセージ単位に情報を蓄積する多数のメッセージボックスを有すると共に、前記多数のメッセージボックスのそれぞれには識別用のラベルが付与されており、
前記統括ＩＰ電話端末または分散呼制御ＩＰ電話端末は、前記ラベルにより前記共有情報蓄積手段にアクセスすることを特徴とする分散呼制御型ＩＰ電話システム。
【発明の詳細な説明】
【技術分野】
【０００１】
本発明は、呼制装置を必要としないＩＰ電話システムに関する。
【背景技術】
【０００２】
従来のＩＰ電話システムは、呼制御を管理する呼制御サーバ装置と前記呼制御サーバに帰属する複数の電話端末から構成される。
【０００３】
例えば特許文献１        
【特許文献１】特開２００７−２１９６３７号公報
【発明の開示】
【発明が解決しようとする課題】
【０００４】
本発明の課題は呼制御サーバ装置を必要としないＩＰ電話システムを提供することにある。
【課題を解決するための手段】
【０００５】
上記課題を解決するために、本発明では
呼制御を統括する統括ＩＰ電話端末と、前記統括ＩＰ電話端末の指示に従って呼制御の一部を実行する複数の分散呼制御ＩＰ電話端末を含むＩＰ電話システムであって、
前記統括ＩＰ電話端末および分散呼制御ＩＰ電話端末のそれぞれは、
当該ＩＰ電話システムの内線ＩＰ電話端末として自端末を制御する内線ＩＰ電話端末制御手段と、他のＩＰ電話端末と共有する情報を蓄積する共有情報蓄積手段と、他のＩＰ電話端末の前記共有情報蓄積手段から所定の情報を読出す共有情報読出し手段を有し、
前記統括ＩＰ電話端末は、
ＷＡＮまたはＬＡＮを介して呼制御メッセージを受信する呼制御メッセージ受信手段と、前記呼制御メッセージ受信手段が受信した呼制御メッセージをいずれかのＩＰ電話端末の共有情報蓄積手段の所定のエリアに書込む呼制御メッセージ書込み手段と、呼制御メッセージの種別を識別して当該呼制御メッセージの処理を分担する所定の分散呼制御ＩＰ電話端末へ当該呼制御メッセージの処理を要求する呼制御メッセージ処理要求手段と、前記分散呼制御ＩＰ電話端末が生成した呼制御メッセージをＷＡＮまたはＬＡＮを介して送信する呼制御メッセージ送信手段を有し、
前記分散呼制御ＩＰ電話端末のそれぞれは、
分担すべき呼制御メッセージの処理内容が予め定められており、前記統括ＩＰ電話端末から当該呼制御メッセージの処理を要求された場合に、前記統括ＩＰ電話端末が書込んだ呼制御メッセージを当該共有情報蓄積手段から読込んで所定の処理を実行する呼制御メッセージ処理手段と、当該呼制御メッセージに対する応答メッセージを生成する応答メッセージ生成手段を有する。
【発明の効果】
【０００６】
本発明によれば、呼制御サーバ装置を必要としないので、呼制御サーバ装置分のコストや設置スペースを削減できる利点がある。
【発明を実施するための最良の形態】
【０００７】
以下に本発明の実施の形態について、図面を参照しながら説明する。なお、実質同一部位には同じ参照番号を付与し、説明は繰り返さない。
【０００８】
図１を用いて本発明のシステム構成図について説明する。
【０００９】
各電話端末１０は通常の電話機能としてのＳＩＰ（Ｓｅｓｓｉｏｎ  Ｉｎｉｔｉａｔｉｏｎ  Ｐｒｏｔｏｃｏｌ）機能の他に、予め割り振られた呼制御サーバ装置（以下、SIPサーバ）の一部を処理する機能を有する。そしてこの電話端末１０の複数台が連携してSIPサーバ機能を実現し、内線電話システムとして動作する。
【００１０】
本発明の電話端末１０−１は、各担当プログラムのうち統括担当プログラムを具備し、他の担当プログラムを有する電話端末へ、呼制御処理の割り振りを行う。具体的に電話端末１０−１は、電話端末１０−２〜１０−Ｎに対して、それぞれの担当プログラムの役割に応じてSIPサーバが行うＳＩＰメッセージ処理を要求し、要求を受けた電話端末１０は当該担当プログラムの処理を実行する。
【００１１】
また、相手電話端末２０はSIPサーバとして電話端末１０−１を登録し、外部ネットワーク６０からのSIPメッセージは必ず電話端末１０−１を介して電話端末１０に送信される。つまり、電話端末１０−１は、外部ネットワーク６０からはSIPサーバと認識され、他の電話端末１０から外部ネットワーク６０への送信も必ず電話端末１０−１を介して送信する。以降の説明では電話端末１０−１を統括担当端末１０−１と呼称する。
【００１２】
電話端末１０−２は、各担当プログラムのうちのINVITE担当プログラムを具備し、統括担当端末１０−１からの要求によって、SIPサーバがINVITEを受け取った場合の処理を行う。以降の説明では電話端末１０−２が呼制御処理に関しての処理を行う場合、INVITE担当端末１０−２と呼称する。
【００１３】
電話端末１０−３は、各担当プログラムのうちの１８０Ringing担当プログラムを具備し、統括担当端末１０−１からの要求によって、SIPサーバが１８０Ringingを受け取った場合の処理を行う。以降の説明では電話端末１０−３が呼制御処理に関しての処理を行う場合、１８０Ringing担当端末１０−３と呼称する。
【００１４】
電話端末１０−４は、各担当プログラムのうちの２００OK担当プログラムを具備し、統括担当端末１０−１からの要求によって、SIPサーバが２００OKを受け取った場合の処理を行う。以降の説明では電話端末１０−４が呼制御処理に関しての処理を行う場合、２００OK担当端末１０−４と呼称する。
【００１５】
電話端末１０−５は、各担当プログラムのうちのACK担当プログラムを具備し、統括担当端末１０−１からの要求によって、SIPサーバがACKを受け取った場合の処理を行う。以降の説明では電話端末１０−２が呼制御処理に関しての処理を行う場合、ACK担当端末１０−５と呼称する。
【００１６】
同様に電話端末１０−Ｎは、○○担当プログラムを具備し、ＳＩＰメッセージに応じた処理を行う。
【００１７】
次に図２を用いて、電話端末１０−１〜１０−Nの各担当プログラムの動作についてさらに詳しく説明する。
【００１８】
図２の役割分担表のフィールドは、各電話端末１０の電話端末ＩＤと、各担当プログラムの名称、各担当プログラムの処理を示す。
【００１９】
レコード１０８１の統括担当端末１０−１は、相手電話端末２０および外部ネットワーク６０および電話端末１０からは仮想のSIPサーバとして動作し、ＳＩＰメッセージのやりとりは必ず統括担当端末１０−１を介して送信される。
【００２０】
ＳＩＰメッセージを受信すると、ＳＩＰメッセージ毎に処理が割り当てられた統括担当端末以外の担当端末を検索して、該当する担当端末に対し、ＳＩＰメッセージ処理要求（呼制御メッセージ処理要求）を送信し、SIPメッセージの処理を要求する。各担当端末の処理が完了すると、ＳＩＰメッセージ処理完了通知と共に処理結果の通知を受け、当該担当端末から受け取った処理結果にＳＩＰメッセージがある場合には、該当する端末に対してこれを送信する。
【００２１】
ここで、ＳＩＰメッセージ処理完了通知とは、統括担当端末１０−１以外の担当端末が自担当呼制御処理を実行し、処理を完了したことを通知するためのＩＰパケットである。また、統括担当端末１０−１以外の担当端末は自担当呼制御処理時に処理結果として従来ＳＩＰサーバがＳＩＰメッセージを受信して次に送信するＳＩＰメッセージを生成するが、これを各担当端末にて生成し、ＳＩＰメッセージ処理完了通知には生成したＳＩＰメッセージを含めて送信される。
【００２２】
レコード１０８２のＩＮＶＩＴＥ担当端末１０−２は、統括担当端末１０−１から、ＳＩＰメッセージ処理要求（ＩＮＶＩＴＥ処理要求）を受信すると、統括担当端末１０−１のＳＩＰメッセージを解析して、送信先電話端末を検索する。そして検索できた場合には、送信先電話端末へのＩＮＶITEと相手電話端末２０への１００Ｔｒｙｉｎｇを生成し、検索できなかった場合には、４０４Not Foundを生成し、統括担当端末１０−１に対して、処理が完了したことを通知するＳＩＰメッセージ処理完了通知として送信する。
【００２３】
レコード１０８３の１８０Ｒｉｎｇｉｎｇ担当端末１０−３は、統括担当端末１０−１から、ＳＩＰメッセージ処理要求（１８０Ｒｉｎｇｉｎｇ処理要求）を受信すると、統括担当端末１０−１のＳＩＰメッセージを解析して、送信先電話端末１０への１８０Ｒｉｎｇｉｎｇを生成し、統括担当端末１０−１にＳＩＰメッセージ処理完了通知として送信する。
【００２４】
レコード１０８４の２００ＯＫ担当端末１０−４は、統括担当端末１０−１から、ＳＩＰメッセージ処理要求を受信すると、統括担当端末１０−１のＳＩＰメッセージを解析して、送信先電話端末１０への２００ＯＫを生成し、送信先電話端末１０への１８０Ｒｉｎｇｉｎｇを生成し、統括担当端末１０−１にＳＩＰメッセージ処理完了通知として送信する。
【００２５】
レコード１０８５のＡＣＫ担当端末１０−５は、統括担当端末１０−１から、ＳＩＰメッセージ処理要求を受信すると、統括担当端末１０−１のＳＩＰメッセージを解析して、送信先電話端末１０へのＡＣＫを生成し、統括担当端末１０−１にＳＩＰメッセージ処理完了通知として送信する。
【００２６】
レコード１０８６の○○担当端末１０−Ｎは、電話端末１０−２〜１０−５と同様にＳＩＰメッセージに応じた処理を行い、ＳＩＰメッセージ処理完了通知を送信する。
【００２７】
尚、各SIPメッセージ処理を要求するまたは、SIPメッセージを送信する場合に、本発明の特徴の一つであるライト／リード処理を用いたメモリ制御方法を用いる。
【００２８】
次に図３のメモリ配置図を用いて、ライト／リード処理について説明する。
【００２９】
電話端末１０のメモリ空間には、統括担当プログラム等、担当プログラム１００１及びローカルデータ１００２、グローバルデータ１００３、端末機能プログラム１００５、端末機能データ１００６がそれぞれ展開される。
【００３０】
尚、図３のメモリアドレスは一例であり、プログラムサイズ等に応じて設定すればよい。
【００３１】
ここで、担当プログラム１００１とは、図２で説明したSIPサーバがＳＩＰメッセージ毎に割り振られた担当プログラムであり、電話端末１０−１には統括担当プログラム１００１−１が、電話端末１０−２にはＩＮＶＩＴＥ担当プログラム１００１−２が、電話端末１０−３には１８０Ｒｉｎｇｉｎｇ担当プログラム１００１−３が、電話端末１０−ｎには○○担当プログラムがそれぞれ展開されている（図示せず）。
【００３２】
ローカルデータ１００２とは、各担当プログラムの処理において変数や一時データの保存等、自担当プログラム内で使用するスタティックなデータを示す。
【００３３】
グローバルデータ１００３とは、各担当プログラムの処理においてSIPメッセージや、検索結果、処理結果等の他の担当端末と処理を共有するデータのことを示す。グローバルデータ１００３は、さらに処理毎に複数のメッセージボックス１００４を持ち、メッセージボックスのそれぞれには、メッセージボックス番号が割り振られている。また、各担当端末１０はこの端末間で展開されているメッセージボックス１００４の使用状態を常に監視している。
【００３４】
そして各担当端末１０は、自担当プログラムの処理が完了またはライト／リード処理がある場合に、他の担当端末が使用していないメッセージボックスを参照し、当該データと共にライト／リード処理要求を送信する。また受信したライト／リード処理要求がメッセージボックス１００４の容量を超えるデータであった場合には、２つ以上のメッセージボックス間で展開する。
【００３５】
次に図４を用いて、本発明の電話端末１０の機能ブロックについて説明する。
【００３６】
電話端末１０は、外部接続ＩＦ部１０１と、通信制御部１０２と、主制御部１０３と、担当呼制御処理部１０４と、ライト／リード処理部１０５と、端末機能処理部１０６と、マンマシンＩＦ部１０７と、状態管理部１０８と、記憶部１０９とから構成される。
【００３７】
外部接続ＩＦ部１０１は、ＬＡＮ７０よりIPパケットの信号を受けとると通信制御部１０２に渡し、通信制御部１０２からIPパケットの信号を受け取るとＬＡＮ７０に送出する外部接続用インターフェースである。
【００３８】
通信制御部１０２は、外部接続ＩＦ部１０１を介して、ＬＡＮ７０との通信一般を制御し、主制御部１０３から渡されるIPパケットを外部接続IF部１０１に渡し、外部接続IF部１０１から渡されるIPパケットを主制御部１０３に渡す。
【００３９】
主制御部１０３は、通信制御部１０２、担当呼制御処理部１０４、ライト／リード処理部１０５、状態管理部１０８、端末機能処理部１０６、記憶部１０９と接続し、接続した各ブロックと連携して自電話端末１０の処理全般を行う。
【００４０】
担当呼制御処理部１０４は、主制御部１０３と接続し、図２で説明した各担当端末の処理のうち、自担当端末の担当呼制御処理を行うブロックである。
【００４１】
自端末が統括担当端末であった場合、主制御部１０３、通信制御部１０２と連携して外部ネットワーク６０またはＬＡＮ７０のＳＩＰメッセージを検出する。そして検出したＳＩＰメッセージをローカルデータメモリ部１１５に記憶し、ライト／リード処理部１０５に対して、グローバルデータ１００３のライト処理要求の送信を指示する。
【００４２】
また、ライト／リード処理部１０５からライト処理要求の応答としてメッセージボックス番号を受けると、ローカルデータメモリ部１１５に記憶されたＳＩＰメッセージからＳＩＰメッセージの種類を抽出し、抽出したＳＩＰメッセージの種類をキーとして役割分担テーブルから、分散処理の要求先の担当端末のＩＰアドレスを特定する。
【００４３】
ここで役割分担テーブルとは、図示しないが図２で説明した役割分担表の電話端末ＩＤのフィールドと担務のフィールド及び各電話端末のＩＰアドレスを電話端末ＩＤのレコード毎に保存したテーブルを示す。
【００４４】
そして、要求先の担当端末に対して、メッセージボックス番号を含むＳＩＰメッセージ処理要求を生成し、主制御部１０３、通信制御部１０２と連携して要求先の担当端末に対してこれを送信する。
【００４５】
また、要求先の担当端末から、ＳＩＰメッセージ処理要求の応答としてＳＩＰメッセージ処理完了通知を受信すると、ＳＩＰメッセージ処理完了通知に含まれるＳＩＰメッセージを抽出し、自端末のＳＩＰメッセージとしてこれを送信する。
【００４６】
自端末が統括担当端末１０−１以外の担当端末であった場合は、主制御部１０３、通信制御部１０２と連携して統括担当玉津１０−１からのＳＩＰメッセージ処理要求を検出する。そして検出したＳＩＰメッセージ処理要求をローカルデータメモリ部１１５に記憶し、ＳＩＰメッセージ処理要求に含まれるメッセージボックス番号を抽出して、ライト／リード処理部１０５に対して、グローバルデータ１００３の当該メッセージボックス番号のリード処理要求を送信する。
【００４７】
次に、ライト／リード処理部１０５からリード処理要求の応答としてリードしたデータを受けとると、リードしたデータをローカルデータ部１１５に記憶する。そしてプログラムメモリ部１１３の自担当プログラムの処理を開始する。
【００４８】
ここで各担当プログラムの処理とは、一般的なＳＩＰメッセージに係る処理であり、説明を省略する。尚、自担当プログラムの処理中にグローバルデータ１００３のライト／リード制御が発生した場合には、同様にライト／リード処理要求を送信し、結果をローカルデータメモリ部１１５に記憶して処理を続ける。
【００４９】
自担当プログラムの処理が完了すると、自端末が統括担当端末１０−１以外の担当端末は処理結果として送信するＳＩＰメッセージを生成する。そして主制御部１０３、通信制御部１０２と連携して、統括担当端末１０−１に対し、生成したＳＩＰメッセージを含むＳＩＰメッセージ処理完了通知を送信する。
【００５０】
ライト／リード処理部１０５は、主制御部１０３に接続し、図３で説明したグローバルデータのメッセージボックスのライト／リード処理及びライト／リード処理要求を生成するブロックであり、主制御部１０３、通信制御部１０２と連携してライト／リード処理要求を検出すると、メモリボックス番号を抽出し、抽出したメモリボックス番号をキーにメッセージボックス管理部１１４に記憶されるメッセージボックスアドレステーブルの該当するメモリアドレスを抽出し、ライト／リード処理を行う。
【００５１】
ここで、メッセージボックスアドレステーブルとはメッセージボックス管理部１１４に記憶され、メモリボックス番号と各端末のメモリアドレスの対応テーブルである。
【００５２】
リード処理要求を受信した場合、リード処理要求にふくまれるメッセージボックス番号をキーに、メッセージボックスアドレステーブルから該当するメモリアドレスを抽出し、抽出したメモリアドレスのデータをリードデータとして読み出す。そして、主制御部１０３、通信制御部１０２と連携して、リードデータを含むリード処理完了通知を、リード処理要求を送信した担当端末に送信する。
【００５３】
ライト処理要求を受信した場合、ライト処理要求に含まれるライトデータとメッセージボックス番号を抽出し、抽出したメッセージボックス番号をキーに、メッセージボックス管理テーブルから該当するメモリアドレスを抽出し、該当するメモリアドレスにライトデータを書き込む。そして、主制御部１０３、通信制御部１０２と連携してライト処理要求を送信した担当端末にライト処理が完了したことをライト処理完了通知として送信する。
【００５４】
また、主制御部１０３、通信制御部１０２と連携してライト／リード処理完了通知を検出すると、リード処理用完了通知であった場合、リード処理用完了通知に含まれるリードデータを担当呼制御処理部１０４に渡し、ライト処理完了通知であった場合、担当呼制御処理部１０４に渡す。
【００５５】
さらに、担当呼制御処理部１０４からライト／リード処理要求の送信指示を受けると、のメッセージボックス管理テーブルから使用していないメッセージボックス番号を検索する。
【００５６】
ここでメッセージ管理テーブルとは、グローバルデータ１００３に展開されているメッセージボックス番号と、使用状態を関連付けたテーブルであり、さらにメッセージボックス番号のみメモリアドレスを、ライト／リード処理が行われる毎にテーブルを更新する。
【００５７】
端末機能処理部１０６は、主制御部１０３、マンマシンＩＦ部１０７に接続し、端末としての電話機能の呼処理や図示しないダイヤルキー、ハンドセット、スピーカ、ＬＣＤ等表示機器等入出力デバイスの制御全般を行う。
【００５８】
マンマシンＩＦ部１０７は端末機能処理部１０６に接続され、図示しないダイヤルキー、ハンドセット、スピーカ、ＬＣＤ等表示機器等入出力デバイスを有し、入力デバイスからの情報をデジタル信号として端末機能処理部１０６に渡し、端末機能処理部１０６から送られてきたデジタル信号の情報を出力デバイスにて表示する。
【００５９】
状態管理部１０８は、主制御部１０３に接続され、自端末１０が統括担当端末であった場合に、図示しない役割分担テーブルを保存し、主制御部１０３の指示に応じてＳＩＰメッセージ担当端末を参照する記憶部である。尚、自端末１０がＳＩＰメッセージ担当端末であった場合は、状態管理部１０８は動作しない。
【００６０】
記憶部１０９は、主制御部１０３及び端末機能処理部１０６と接続し、各ブロックからの指示に従いデータを参照するメモリ記憶部である。また、記憶部１０９は、担当呼制御メモリ部１１０、端末機能メモリ部１１１から構成される。
【００６１】
尚、本実施例では説明を分かりやすくするために、状態管理部１０８と記憶部１０９を分けて説明しているが状態管理部１０８は記憶部１０９内に含まれていてもよい。
【００６２】
担当呼制御メモリ部１１０は、図２に示した役割分担に係る記憶部１０９の担当プログラムに関する記憶部であり、グローバルデータメモリ部１１２、プログラムメモリ部１１３、メッセージボックス管理部１１４、ローカルデータメモリ部１１５から構成され、各電話端末に分散される担当呼制御処理に利用される記憶部である。
【００６３】
グローバルデータメモリ部１１２は図３で説明したグローバルデータが記憶されるメモリ領域であり、メッセージボックスのデータやSIPメッセージなどのデータを記憶する。
【００６４】
プログラムメモリ部１１３は図３で説明したプログラムデータが記憶されるメモリ領域である。
【００６５】
メッセージボックス管理部１１４は、メッセージボックス管理テーブルとメッセージボックスアドレステーブルを記憶するメモリ領域である。
【００６６】
ローカルデータメモリ部１１５は、図３で説明したローカルデータが記憶されるメモリ領域である。
【００６７】
端末機能メモリ部１１１は端末機能に関する記憶部であり、端末機能プログラムメモリ部１１６、端末機能データメモリ部１１７とから構成される。
【００６８】
端末機能プログラムメモリ部１１６は、図３で説明した端末機能プログラムが記憶されるメモリ領域であり、電話端末として動作するプログラムを記憶する。
【００６９】
端末機能データメモリ部１１７は、図３で説明した端末機能データが記憶されるメモリ領域であり、電話端末として動作するための設定データ等を記憶する。
【００７０】
次に図５を用いて、電話端末１０の処理フローを説明する。本フローは予め担当プログラムが割り振られた複数の電話端末１０の電源が投入されたが電話システムを構築した状態から開始される。
【００７１】
先ず、マンマシンＩＦ部１０７にキー操作またはオンフック操作があったか否かを判断する（Ｓ１）。ここでキー操作またはオンフック操作があった場合（Ｓ１：Ｙｅｓ）、電話端末１０の端末機能処理部１０６は操作に応じて端末機能処理を行う（Ｓ２）とともに主制御部１０３に操作があったことを通知する。
【００７２】
ここで、端末機能処理とはＳＩＰプロトコルを用いた端末側の電話機能のことである。
【００７３】
キー入力操作またはオンフック操作でなかった場合（Ｓ１：Ｎｏ）、通信制御部１０２は、ＬＡＮ７０から外部接続ＩＦ部１０１を介して自端末宛のＩＰパケットを受信したか否かを判断する（Ｓ３）。自端末宛のＩＰパケットを受信していない場合（Ｓ３：Ｎｏ）、Ｓ１に戻る。
【００７４】
自端末宛のＩＰパケットを受信した場合（Ｓ３：Ｙｅｓ）、通信制御部１０２はＩＰパケットを主制御部１０３に渡し、主制御部１０３は担当呼制御処理部１０４及びライト／リード処理部１０５と連携して受け取ったＩＰパケットを解析する。そしてＩＰパケットが担当呼制御処理のＩＰパケットであった場合（Ｓ４：Ｙｅｓ）、主制御部１０３はＩＰパケットを担当呼制御処理部１０４に渡し、渡された担当呼制御処理部１０４は図６、図７に後述する各担当端末に割り当てられた各種担当呼制御処理を行い（Ｓ５）、S１に戻る。
【００７５】
ＩＰパケットがグローバルデータのライト／リード処理要求のＩＰパケットであった場合（Ｓ６：Ｙｅｓ）、主制御部１０３はＩＰパケットをライト／リード処理部１０５に渡す。
【００７６】
そして、ライト／リード処理部１０５はライト／リード処理要求のＩＰパケットを受け取ると、ライト／リード処理要求を解析し、リードかライトかのフラグ情報、メッセージボックス番号、ライトであった場合にライトデータ、IPパケットの送信元アドレスを抽出しローカルデータメモリ部１１５に保存する。
【００７７】
抽出したフラグ情報がリードのフラグであった場合（S７：リード）、ライト／リード処理部１０５は抽出したメッセージボックス番号のデータを読み出す(S８)。そして、抽出したIPパケットの送信元にリードデータを送信し（S９）、Ｓ１に戻る。
【００７８】
抽出したフラグ情報がライトのフラグであった場合（S７：ライト）、ライト／リード処理部１０５は抽出したメッセージボックス番号に対し、ライトデータを書き込む（S１０）。そして、IPパケットの送信元にライトが完了したことを送信し（S１１）、Ｓ１に戻る。
【００７９】
ＩＰパケットが担当呼制御処理でもライト／リード処理でもなかった場合（Ｓ６：Ｎｏ）、着信等、端末側の処理と判断し、主制御部１０３はＩＰパケットを端末機能処理部１０６に渡して端末機能処理を行い（S２）、Ｓ１に戻る。
【００８０】
次に図６を用いて、図５の担当端末処理のうち統括担当端末１０−１の処理フローについて説明する。
【００８１】
S５で統括担当端末の担当呼制御処理が開始されると、担当呼制御処理部１０４は主制御部１０３から受け取ったＳＩＰメッセージのIPパケットをローカルデータメモリ部１１５に記憶し、ライト／リード処理部１０５と連携し、ライト処理要求の送信を指示する。
【００８２】
指示を受けたライト／リード処理部１０５はメッセージボックス管理部１１４のメッセージボックス管理テーブルから使用していないメッセージボックス番号を指定する（Ｓ５０１）。
【００８３】
そして指定したメッセージボックス番号をキーにメッセージボックス管理部１１４のメッセージボックスアドレステーブルを検索し、自端末のメッセージボックス番号か否かを判断する（Ｓ５０２）
【００８４】
自端末のメッセージボックス番号であった場合（Ｓ５０２：Ｙｅｓ）、主制御部１０３に通知し、通知された主制御部１０３は、グローバルデータメモリ部１１２の該当するメッセージボックス番号のメモリアドレスにデータを記憶し（Ｓ５０３）、Ｓ５０６に進む。
【００８５】
自端末のメッセージボックス番号であった場合（Ｓ５０２：Ｎｏ）、当該メッセージボックス番号の電話端末に対し、ライトのフラグ情報、空いているメッセージボックス番号、ライトするSIPメッセージを含むライト処理要求を生成して送信する（Ｓ５０４）。そして、ライト要求送信した電話端末からライト処理完了通知が受信されるまで待機する（Ｓ５０５）。
【００８６】
次に担当呼制御処理部１０４は、受け取ったSIPメッセージの種類を解析する。
【００８７】
ＩＮＶITEのSIPメッセージ（以下、INVITEメッセージ）であった場合（Ｓ５０６：Ｙｅｓ）、担当呼制御処理部１０４は、ＩＮＶＩＴＥメッセージをキーに状態管理部１０８の役割分担テーブルからＩＮＶＩＴＥ担当端末を検索する（Ｓ５０７）。そして、検索したＩＮＶＩＴＥ担当端末のＩＰアドレスを抽出し、抽出したＩＰアドレスを宛先としてＳ５０１で指定したメッセージボックス番号を含むＩＮＶＩＴＥ処理要求を生成する。さらに、担当呼制御処理部１０４は、主制御部１０３、通信制御部１０２と連携して通信制御部１０２に生成したＩＮＶITE処理要求を外部接続ＩＦ部１０１を介してＬＡＮ上のＩＮＶＩＴＥ担当端末にＩＮＶＩＴＥ処理要求を送信する（Ｓ５０８）。
【００８８】
１８０ＲｉｎｇｉｎｇのSIPメッセージ（以下、１８０Ｒｉｎｇｉｎｇメッセージ）であった場合（Ｓ５０９：Ｙｅｓ）、担当呼制御処理部１０４は、１８０Ｒｉｎｇｉｎｇメッセージをキーに状態管理部１０８の役割分担テーブルから１８０Ｒｉｎｇｉｎｇ担当端末を検索する（Ｓ５１０）。そして、検索した１８０Ｒｉｎｇｉｎｇ担当端末のＩＰアドレスを抽出し、抽出したＩＰアドレスを宛先としてＳ５０１で指定したメッセージボックス番号を含む１８０Ｒｉｎｇｉｎｇ処理要求を生成する。さらに、担当呼制御処理部１０４は、主制御部１０３、通信制御部１０２と連携して通信制御部１０２に生成した１８０Ｒｉｎｇｉｎｇ処理要求を外部接続ＩＦ部１０１を介してＬＡＮ上の１８０Ｒｉｎｇｉｎｇ担当端末に１８０Ｒｉｎｇｉｎｇ処理要求を送信する（Ｓ５１１）。
【００８９】
２００ＯＫのSIPメッセージ（以下、２００ＯＫメッセージ）であった場合（Ｓ５１２：Ｙｅｓ）、担当呼制御処理部１０４は、２００ＯＫメッセージをキーに状態管理部１０８の役割分担テーブルから２００ＯＫ担当端末を検索する（Ｓ５１３）。そして、検索した２００ＯＫ担当端末のＩＰアドレスを抽出し、抽出したＩＰアドレスを宛先としてＳ５０１で指定したメッセージボックス番号を含む２００ＯＫ処理要求を生成する。さらに、担当呼制御処理部１０４は、主制御部１０３、通信制御部１０２と連携して通信制御部１０２に生成した２００ＯＫ処理要求を外部接続ＩＦ部１０１を介してＬＡＮ上の２００ＯＫ担当端末に２００ＯＫ処理要求を送信する（Ｓ５１４）。
【００９０】
ＡＣＫのSIPメッセージ（以下、ＡＣＫメッセージ）であった場合（Ｓ５１５：Ｙｅｓ）、  担当呼制御処理部１０４は、ＡＣＫメッセージをキーに状態管理部１０８の役割分担テーブルからＡＣＫ担当端末を検索する（Ｓ５１６）。そして、検索したＡＣＫ担当端末のＩＰアドレスを抽出し、抽出したＩＰアドレスを宛先としてＳ５０１で指定したメッセージボックス番号を含むＡＣＫ処理要求を生成する。さらに、担当呼制御処理部１０４は、主制御部１０３、通信制御部１０２と連携して通信制御部１０２に生成したＡＣＫ処理要求を外部接続ＩＦ部１０１を介してＬＡＮ上のＡＣＫ担当端末にＡＣＫ処理要求を送信する（Ｓ５１７）。
【００９１】
さらに抽出したＳＩＰメッセージの種類が上記以外のであった場合（Ｓ５１５：Ｎｏ）,同様に各ＳＩＰメッセージ要求処理を行う（Ｓ５１８）。尚、本説明では上記以外のＳＩＰメッセージの処理については説明を省略する。
【００９２】
各ＳＩＰメッセージ処理要求の送信が完了すると、ＳＩＰメッセージ処理完了通知が受信するまで待機する（Ｓ５１９）。
【００９３】
ＳＩＰメッセージ処理完了通知を受信すると（Ｓ５１９：Ｙｅｓ）、担当呼制御処理部１０４は、自担当呼制御処理完了時に生成したＳＩＰメッセージを送信し（Ｓ５２０）、図５のＳ１に戻る。
【００９４】
次に図７を用いて、S５で統括担当端末以外の担当端末の処理フローについて説明する。
【００９５】
図７の（a）は、ＩＮＶＩＴＥ担当端末の処理フローである。
【００９６】
まず、担当呼制御処理部１０４は主制御部１０３からＩＮＶＩＴＥ処理要求のIPパケットを受け取るとローカルデータメモリ部１１５に記憶し、メッセージボックス番号を抽出する。そして、抽出したメッセージボックス番号からグローバルデータ１００３に記憶されているINVITEメッセージをリードする。
【００９７】
具体的には、メッセージボックス番号をキーとしてメッセージボックスアドレステーブルを検索し、自端末のメッセージボックス番号が自端末のメッセージボックスか否かを判断する。
【００９８】
そして自端末のメッセージボックスであった場合、メッセージボックスアドレステーブルから一致したメッセージボックス番号のメモリアドレスを抽出し、当該メモリアドレスに記憶されているINVITEメッセージをリードする。
【００９９】
自端末のメッセージボックスでない場合、さらにメッセージボックス番号をキーとしてメッセージボックス管理テーブルを検索する。そして、一致したメッセージボックス番号の担当端末を抽出し、当該担当端末にリード要求を送信する。さらに、当該担当端末から、リード処理完了通知を受信すると、リード処理完了通知に含まれるINVITEメッセージのリードデータを抽出する。
【０１００】
つぎに、INVITEメッセージをリードすると、ローカルデータメモリ部１１５に記憶し、着信先のユーザＩＤ（外線番号）を抽出する。つぎに担当呼制御処理部１０４は主制御部１０３と連携して抽出した着信先のユーザＩＤをキーとして記憶部１０９の図示しない宛先テーブルから該当するユーザＩＤのレコードを検索する（Ｓ５２２）。
【０１０１】
ここで宛先テーブルとは、電話システムに帰属する電話端末１０毎にユーザＩＤとＩＰのレコードを有するテーブルであり通常のＳＩＰサーバが保持するテーブルである。
【０１０２】
該当するユーザＩＤのレコードがある場合（Ｓ５２３：Ｙｅｓ）、担当呼制御処理部１０４は、該当する送信先のＩＰを宛先としたＩＮＶITEメッセージを生成し、送信元のＩＰアドレスを宛先として１００Tryingメッセージを生成し、ローカルデータメモリ部１１５に記憶する（Ｓ５２４）。また、該当するユーザＩＤのレコードがない場合（Ｓ５２３：Ｎｏ）、ＩＮＶITEメッセージを送信した送信元のＩＰを宛先として４０４Not Foundメッセージを生成し、ローカルデータメモリ部１１５に記憶する（Ｓ５２５）。そして統括担当端末に対して生成したSIPメッセージを含むSIPメッセージ処理完了通知を送信し（S５２６）、図５のＳ１に戻る。
【０１０３】
図７の（ｂ）は、１８０Ringing担当端末の処理フローである。
【０１０４】
まず、担当呼制御処理部１０４は主制御部１０３から１８０Ringing処理要求のIPパケットを受け取るとローカルデータメモリ部１１５に記憶し、メッセージボックス番号を抽出する。そして、抽出したメッセージボックス番号からグローバルデータ１００３に記憶されている１８０Ringingメッセージをリードする（S５４１）。
【０１０５】
そして、１８０Ringingメッセージを解析し、送信先電話端末のIPアドレスを抽出する（S５４２）。そして抽出した送信先電話端末のIPアドレスを送信先IPアドレスとした１８０Ringingメッセージを生成する（S５４３）する。そして統括担当端末に対して生成したSIPメッセージを含むSIPメッセージ処理完了通知を送信し（S５４４）、図５のＳ１に戻る。
【０１０６】
図７の（ｃ）は、２００OK担当端末の処理フローである。
【０１０７】
まず、担当呼制御処理部１０４は主制御部１０３から２００OK処理要求のIPパケットを受け取るとローカルデータメモリ部１１５に記憶し、メッセージボックス番号を抽出する。そして、抽出したメッセージボックス番号からグローバルデータ１００３に記憶されている２００OKメッセージをリードする（S５６１）。
【０１０８】
そして、２００OKメッセージを解析し、送信先電話端末のIPアドレスを抽出する（S５６２）。そして抽出した送信先電話端末のIPアドレスを送信先IPアドレスとした２００OKメッセージを生成する（S５６３）する。そして統括担当端末に対して生成したSIPメッセージを含むSIPメッセージ処理完了通知を送信し（S５６４）、図５のＳ１に戻る。
【０１０９】
図７の（ｄ）は、ACK担当端末の処理フローである。
【０１１０】
まず、担当呼制御処理部１０４は主制御部１０３からACK処理要求のIPパケットを受け取るとローカルデータメモリ部１１５に記憶し、メッセージボックス番号を抽出する。そして、抽出したメッセージボックス番号からグローバルデータ１００３に記憶されているACKメッセージをリードする（S５８１）。
【０１１１】
そして、ACKメッセージを解析し、送信先電話端末のIPアドレスを抽出する（S５８２）。そして抽出した送信先電話端末のIPアドレスを送信先IPアドレスとしたACKメッセージを生成する（S５８３）する。そして統括担当端末に対して生成したSIPメッセージを含むSIPメッセージ処理完了通知を送信し（S５８４）、図５のＳ１に戻る。
【０１１２】
また、上記以外のSIPメッセージの場合であっても、同様にグローバルデータ１００３を介した担当呼制御処理を行う。
【０１１３】
次に図８を用いて、本電話システムが相手電話端末２０から電話端末１０−３への着信を受け、通話するまでの動作シーケンスを説明する。
【０１１４】
まず、相手電話端末２０から統括担当端末１０−１に対してINVITEメッセージを受信すると（Ｓ１０１）、統括担当端末１０−１は受信したＩＮＶＩＴＥメッセージをグローバルデータメモリ部１１２のメッセージボックスに保存する。そして受信したINVITEメッセージをキーとして状態管理部１０８の役割分担テーブルを検索して該当するINVITE担当端末１０−２を抽出する。そして、抽出したINVITE担当端末１０−２を宛先としたグローバルデータメモリ部１１２に保存されたメッセージボックスのメッセージボックス番号を含むINVITE処理要求を生成し、送信する（Ｓ１０２）。
【０１１５】
INVITE処理要求を受信したINVITE担当端末１０−２は、INVITE処理要求に含まれるメッセージボックス番号の端末から、当該メッセージボックスのデータをリード処理を行う。そしてリードしたメッセージボックスのＩＮＶＩＴＥ処理を実行し、電話端末１０−３宛のINVITEメッセージと相手電話端末２０宛の１００Tryingメッセージを生成する。次に生成したＳＩＰメッセージを含むINVITE処理完了通知を統括担当端末１０−１に送信する（Ｓ１０３）。
【０１１６】
INVITE処理完了通知を受信した統括担当端末１０−１はINVITEと１００TryingのSIPメッセージを、自端末のSIPメッセージとして電話端末１０−３に対してはINVITEメッセージを送信し（Ｓ１０４）、相手電話端末２０に対しては１００Tryingメッセージを送信する（Ｓ１０５）。
【０１１７】
次に、電話端末１０−３はＩＮＶＩＴＥメッセージを受信すると、端末機能処理部１０６でＩＮＶＩＴＥの端末機能処理を行い、統括端末１０−１に対し１８０Ｒｉｎｇｉｎｇと２００ＯＫを返す（Ｓ１０６、Ｓ１１０）。
【０１１８】
統括担当端末１０−１は、電話端末１０−３から１８０Ringingメッセージを受信すると（S１０６）、統括担当端末１０−１は受信したSIPメッセージをグローバルデータメモリ部１１２のメッセージボックスに保存する。そして受信したSIPメッセージをキーとして、状態管理部１０８の役割分担テーブルを参照して該当する１８０Ringing担当端末１０−３の宛先を抽出する。そして、１８０Ringing担当端末１０−３宛のグローバルデータメモリ部１１２に保存されたメッセージボックスのメッセージ番号を含む１８０Ringing処理要求を生成し、送信する（Ｓ１０７）。
【０１１９】
１８０Ringing処理要求を受信した１８０Ringing担当端末１０−３は、１８０Ringing処理要求に含まれるメッセージボックス番号から、当該メッセージボックス番号が展開されている電話端末にリード要求を送信し、リード処理を行う。そしてリードしたメッセージボックスの１８０Ｒｉｎｇｉｎｇ処理を実行し、相手電話端末２０宛の１８０Ringingメッセージを生成し、１８０Ringingメッセージを含む１８０Ringing処理完了通知を統括担当端末１０−１に送信する（Ｓ１０８）。
【０１２０】
１８０Ringing処理完了通知を受信した統括担当端末１０−１は１８０RingingのＳＩＰメッセージを、自端末のSIPメッセージとして相手電話端末２０に対して１８０Ringingメッセージを送信する（Ｓ１０９）。
【０１２１】
統括担当端末１０−１は、電話端末１０−３から２００ OKメッセージを受信すると（S１１０）、統括担当端末１０−１は受信したSIPメッセージをグローバルデータメモリ部１１２に保存する。そして受信したSIPメッセージをキーとして、状態管理部１０８の役割分担テーブルを参照して該当する２００OK担当端末１０−３の宛先を抽出する。そして、２００ OK担当端末１０−３宛のグローバルデータメモリ部１１２に保存したSIPメッセージを含む２００ OK処理要求を生成し、送信する（Ｓ１１１）。
【０１２２】
２００ OK処理要求を受信した２００ OK担当端末１０−３は、２００ OK処理要求に含まれるメッセージボックス番号から、当該メッセージボックス番号が展開されている電話端末にリード要求を送信し、リード処理を行う。そしてリードしたメッセージボックスの２００ OK処理を実行し、相手電話端末２０宛の２００ OKメッセージを生成し、２００ OKメッセージを含む２００ OK処理完了通知を統括担当端末１０−１に送信する（Ｓ１１２）。
【０１２３】
２００ OK処理完了通知を受信した統括担当端末１０−１は２００ OKのＳＩＰメッセージを、自端末のSIPメッセージとして相手電話端末２０に対して２００ OKメッセージを送信する（Ｓ１１３）。
【０１２４】
統括担当端末１０−１は、２００ＯＫを送信すると相手電話端末２０はＡＣＫを送信する。
【０１２５】
相手電話端末２０から統括担当端末１０−１に対してＡＣＫメッセージを受信すると（Ｓ１１４）、統括担当端末１０−１は受信したＡＣＫメッセージをグローバルデータメモリ部１１２に保存する。そして受信したSIPメッセージをキーとして状態管理部１０８の役割分担テーブルを参照して該当するＡＣＫ担当端末１０−２を参照する。そして、参照したＡＣＫ担当端末１０−２を宛先としたグローバルデータメモリ部１１２に保存さあれたメッセージボックスのメッセージボックス番号を含むＡＣＫ処理要求を生成し、送信する（Ｓ１１５）。
【０１２６】
ＡＣＫ処理要求を受信したＡＣＫ担当端末１０−３は、ＡＣＫ処理要求に含まれるメッセージボックス番号から、当該メッセージボックス番号が展開されている電話端末にリード要求を送信し、リード処理を行う。そしてリードしたメッセージボックスのＡＣＫ処理を実行し、相手電話端末２０宛のＡＣＫメッセージを生成し、ＡＣＫメッセージを含むＡＣＫ処理完了通知を統括担当端末１０−１に送信する（Ｓ１１６）。
【０１２７】
ＡＣＫ処理完了通知を受信した統括担当端末１０−１はＡＣＫのＳＩＰメッセージを、自端末のSIPメッセージとして１８０Ｒｉｎｇｉｎｇ担当端末１０−３に対してＡＣＫメッセージを送信し（Ｓ１１７）、通話路が確立され音声データによる通話が開始される（Ｓ１１８）。
【０１２８】
以上、本発明の一実施の形態を説明した。
【０１２９】
本実施の形態では、ＳＩＰサーバの機能を複数の電話端末１０で実現させるために、通常の電話機能を有する電話端末１０のそれぞれはＳＩＰサーバ処理の一部を処理し、さらにこのＳＩＰサーバ機能の一部をＳＩＰメッセージの種類毎に処理を担当するＳＩＰメッセージ担当端末と、ＳＩＰメッセージ担当端末に処理を割り振る統括担当端末１０−１に分けて処理した。このため、複数の電話端末１０を配置するだけで内線電話システムの構築が可能となり、ＳＩＰサーバ等の設置にかかるスペースやコストを削減できる効果がある。
【０１３０】
また、本実施の形態では、各電話端末１０にグローバルデータメモリ部１１２を持たせ、ＳＩＰサーバが行うメモリ制御（ライト/リード制御）をＬＡＮ上で行うことで、各電話端末１０が有する空きメモリ領域を有効活用している。このため、電話システムの規模が拡大する場合でも、増加する電話端末のグローバルデータのメモリ領域が利用できるので、柔軟なシステム拡張ができる。
【０１３１】
さらに、グローバルデータメモリ部に展開されるデータは、メッセージボックス単位でのライト/リード制御なので端末毎のメモリ設計が自由である。
【０１３２】
尚、本実施の説明ではSIP制御を用いた場合を例に説明をしているが、本発明はこれに限定されない、例えばH３２３、ＭＧＣＰ等の呼制御機能をもつプロトコル一般に適用できる。
【０１３３】
また、本実施例では説明を分かりやすくするために各処理端末の担当プログラムを１個と限定しているが、本発明はこれに限定されない。例えば電話端末１０の性能または担当プログラム自体の処理時間等に応じてさらに複数の担当プログラムに分散してもよいし、電話端末１０によって所有する担当プログラムの数が異なっていてもよい。複数の担当プログラムを担務することで、呼制御サーバに必要な電話端末数を少なくすると共に、各ＳＩＰ担当端末にかかる負荷を分散することができる。
【０１３４】
さらに、本実施例では発着信に係る呼制御サーバについて説明したが本発明はこれに限定されない。例えばＳＩＰ制御をもちいたプレゼンスサーバやメールサーバ、ボイスメールサーバ等呼制御サーバに接続できるサーバ機能を本電話システムで分散してもよい。
【０１３５】
さらに、本実施例ではグローバルメモリアドレスは自端末のグローバルアドレス空間のみを記憶しマルチキャスト／ブロードキャストでライト／リード処理を行ったが、本発明はこれに限定されない。例えば、グローバルアドレス空間毎に割り当てられている電話端末のIPアドレスをレコードとしてユニキャストでライト／リード処理を行ってもよい。これにより、ネットワークの負荷を減少させるという効果がある。
【０１３６】
さらに、本実施例では説明を分かりやすくするためにＳＩＰメッセージ担当端末が担当する担当プログラムは１つと記載しているが、本発明はこれに限定されない。例えば、複数の担当プログラムを電話端末毎に重複して有しており、さらに統括担当端末１０−１が状態管理部１０８の役割分担テーブル内で各電話端末の処理状態を監視し、各電話端末の状態に応じて振り分けしてもよい。これによってさらに処理における負荷を分散することが出来、割り当てられた１台の端末が、故障や未接続などの原因で一時的に電話端末がいなくなった場合であっても、他の電話端末で補うという効果もある。
【０１３７】
さらに、本実施例では、分散処理をＳＩＰメッセージ毎に分散する場合について説明したが、本発明はこれに限定されない。例えば、さらに処理を分散し統括担当端末の他に、ＩＮＶＩＴＥ処理を統括するＩＮＶＩＴＥ処理統括電話端末を配置し、ＩＮＶＩＴＥ処理を分散して処理してもよい。これによって処理における負荷を分散する事が出来、さらに呼制御サーバの分散処理に必要なメモリ容量を減らすという効果がある。
【０１３８】
また、逆に接続台数が数台しかなく必要ＳＩＰメッセージ担当端末以下の場合には、複数のＳＩＰメッセージを同時に処理するようにしてもよい。
【０１３９】
さらに、本実施例では説明を分かりやすくするために、統括担当端末は、１台として記載しているが、本発明はこれに限定されない。例えば、統括担当端末が、図１上に図示していないキャリア側のＳＩＰサーバに登録されていた場合に、登録できる回線の数だけ統括担当端末が存在し、統括担当端末が登録されていて、各統括担当端末は各ＳＩＰメッセージ担当端末の状態を管理し、それぞれがＳＩＰサーバとして動作してもよい。これによってグローバルデータメモリを複数の統括担当端末で共有することが出来、容易に収容回線をふやすことができるという効果がある。
【０１４０】
さらに、本実施例では呼制御サーバについて説明したが本発明はこれに限定されない。例えばＳＩＰ制御をもちいたプレゼンスサーバやメールサーバ、ボイスメールサーバ等呼制御サーバに接続できるサーバ機能を本電話システムで分散してもよい。
【図面の簡単な説明】
【０１４１】
【図１】本ＩＰ電話システムのシステム構成図
【図２】役割分担表
【図３】本ＩＰ電話システムのメモリ配置図
【図４】本発明の電話端末のブロック構成図
【図５】電話端末のフローチャート
【図６】統括担当端末のフローチャート
【図７】統括担当端末以外の担当端末フローチャート
【図８】着信処理シーケンス
【符号の説明】
【０１４２】
１０：電話端末、 １０−１：電話端末（統括担当）、 １０−２：電話端末（ＩＮＶＩＴＥ担当）、 １０−３：電話端末（１８０Ringing担当）、 １０−４電話端末（２００ＯＫ担当）、 １０−５：電話端末（ＡＣＫ担当）、 １０−Ｎ：電話端末（○○担当）、
２０：相手電話端末、 ６０：外部ネットワーク、 ７０：ＬＡＮ、 １０１：外部接続ＩＦ部、 １０２：通信制御部、 １０３：主制御部、 １０４：担当呼制御処理部、
１０５：ライト／リード処理部、 １０６：端末機能処理部、 １０７：マンマシンＩＦ部、 １０８：状態管理部、 １０９：記憶部、 １１０：担当呼制御メモリ部、 １１１：端末機能プログラムメモリ部、
１１２：グローバルデータメモリ部、 １１３：プログラムメモリ部、 １１４：メッセージボックス管理部、 １１５：ローカルデータメモリ部、 １１６：端末機能メモリ部、
１１７：端末機能データメモリ部
【図１】
0005007450.tif 000002
【図２】
0005007450.tif 000003
【図３】
0005007450.tif 000004
【図４】
0005007450.tif 000005
【図５】
0005007450.tif 000006
【図６】
0005007450.tif 000007
【図７】
0005007450.tif 000008
【図８】
0005007450.tif 000009